(57)【特許請求の範囲】
【請求項１】
図柄を変動表示可能な図柄表示装置を備えた遊技機であって、
当該図柄表示装置は、円柱側面の一部からなる表示画面で形成された図柄表示部を備え、
更に、当該表示画面の円周方向に図柄を変動表示させる制御を行う円周方向図柄表示制御手段と、
前記図柄表示部を遊技盤の表面に垂直な軸を中心として、前記円柱側面の一部からなる表示画面の軸芯方向を水平方向と垂直方向との間で回転させる回転手段と、
当該回転手段により、前記図柄表示部を回転させた場合には、前記図柄の向きや変動方向を調整する図柄表示調整手段と
を備えたことを特徴とする遊技機。
【請求項２】
前記図柄表示部がエレクトロルミネッセンスディスプレイから構成されていることを特徴とする請求項１に記載の遊技機。
【請求項３】
前記エレクトロルミネッセンスディスプレイは、有機エレクトロルミネッセンスディスプレイ又は無機エレクトロルミネッセンスディスプレイから構成されていることを特徴とする請求項２に記載の遊技機。
【発明の詳細な説明】
【０００１】
【発明の属する技術分野】
本発明は、パチンコ機、パチコン機等の遊技機に関するものであり、円柱側面の一部を構成する面で形成された図柄表示部を備えた遊技機に関する。
【０００２】
【従来の技術】
従来の遊技機、例えばパチンコ機では、遊技球が打ち込まれる遊技領域に平面状の液晶表示装置（ＬＣＤ）を備えた特別図柄表示装置を設け、その液晶表示装置に背景を表示し、その背景上に数字や文字等の図柄をスクロールして変動表示させていた。また、所定のタイミングでその液晶表示装置にキャラクター等を出現させることも行っていた。また、特別図柄表示装置に数字を印刷した円筒ドラムを３個用いて、当該円筒ドラムを回転させるようにしたパチンコ機も知られている。
【０００３】
【発明が解決しようとする課題】
しかしながら、この従来の遊技機では、特別図柄表示装置を構成する液晶表示装置が平面状なので、当該液晶表示装置に表示される図柄は、２次元に限られて、遊技者が驚くような演出を行えず、遊技者が遊技機の液晶表示装置に表示される背景、図柄の変動及びキャラクター等に飽きてしまい易いという問題点があった。
【０００４】
また、円筒ドラムを用いると当該円筒ドラムを設置する為にスペースが必要になるという問題点があった。
【０００５】
本発明は、上記課題を解決するためになされたものであり、図柄表示装置を立体形状にして、遊技者を飽きさせることがなく、かつ図柄表示装置の収納スペースも大きくならない遊技機を提供することを目的とする。
【０００６】
【課題を解決するための手段】
上記課題を解決するため、請求項１に係る発明の遊技機では、図柄を変動表示可能な図柄表示装置を備えた遊技機であって、当該図柄表示装置は、円柱側面の一部からなる表示画面で形成された図柄表示部を備え、更に、当該表示画面の円周方向に図柄を変動表示させる制御を行う円周方向図柄表示制御手段と、前記円柱側面の一部からなる図柄表示部を遊技盤の表面に垂直な軸を中心として、前記円柱側面の一部からなる表示画面の軸芯方向を水平方向と垂直方向との間で回転させる回転手段と、当該回転手段により、前記図柄表示部を回転させた場合には、前記図柄の向きや変動方向を調整する図柄表示調整手段とを備えている。
【０００７】
この構成の遊技機では、図柄表示装置に備えられた円柱側面の一部を構成する面で形成された表示画面からなる図柄表示部を用いて、円周方向図柄表示制御手段が円周方向に図柄を変動表示させる。また、回転手段が図柄表示部を遊技盤の表面に垂直な軸を中心として、前記円柱側面の一部からなる表示画面の軸芯方向を水平方向と垂直方向との間で回転させ、当該回転手段により、前記図柄表示部を回転させた場合には、図柄表示調整手段が図柄の向きや変動方向を調整する。
【０００８】
【０００９】
【００１０】
また、請求項２に係る発明の遊技機は、請求項１に記載の発明の構成に加え、前記図柄表示部がエレクトロルミネッセンスディスプレイから構成されていることを特徴とする。
【００１１】
この構成の遊技機では、請求項１に記載の発明の作用に加え、エレクトロルミネッセンスディスプレイから構成された図柄表示部に、円周方向図柄表示制御手段が円周方向に図柄を変動表示させる。
【００１２】
また、請求項３に係る発明の遊技機は、請求項２に記載の発明の構成に加えて、前記エレクトロルミネッセンスディスプレイは、有機エレクトロルミネッセンスディスプレイ又は無機エレクトロルミネッセンスディスプレイから構成されていることを特徴とする。
【００１３】
この構成の遊技機では、請求項２に記載の発明の作用に加えて、有機エレクトロルミネッセンスディスプレイ又は無機エレクトロルミネッセンスディスプレイから構成された図柄表示部に、円周方向図柄表示制御手段が円周方向に図柄を変動表示させる。
【００１４】
【発明の実施の形態】
以下、本発明に係る遊技機の一実施の形態について図面を参照して説明する。まず、パチンコ機１についての機械的構成の概略について図１又は２を参照して説明する。図１はパチンコ機１の斜視図であり、図２は特別図柄表示装置８の正面図である。図１に示すように、パチンコ機１の正面の上半分の部分には、遊技盤２が設けられ、遊技盤２には、ガイドレール３で囲まれた略円形の遊技領域４が設けられている。パチンコ機１の遊技盤２の下方部には、図示外の発射機に遊技球を供給し、且つ賞品球を受ける上皿５が設けられ、上皿５の直下には、賞品球を受ける下皿６が設けられ、下皿６の右横には発射ハンドル７が設けられている。
【００１５】
図１に示す遊技盤２の遊技領域４の略中央には、特別図柄表示装置８が設けられ、特別図柄表示装置８にはエレクトロルミネッセンスディスプレイから構成された半円柱表示画面２８が設けられ、その上部には、７セグメントのＬＥＤから構成され、数字又は記号等からなる普通図柄を表示する普通図柄表示装置２４と、特別図柄記憶数表示ＬＥＤ６０と、普通図柄記憶数表示ＬＥＤ５９とが設けられている。この特別図柄記憶数表示ＬＥＤ６０は、４個のＬＥＤからなり、後述する始動入賞口１５，１７に入賞したいわゆる保留球の数をＬＥＤの点灯で表示することができるようになっている。また、普通図柄記憶数表示ＬＥＤ５９は、４個のＬＥＤからなり、後述する普通図柄始動ゲート１１，１２を通過したいわゆる保留球の数をＬＥＤの点灯で表示することができるようになっている。
【００１６】
また、特別図柄表示装置８の右斜め上方には風車９が設けられ、左斜め上方にも風車１０が設けられている。さらに、特別図柄表示装置８の右側には普通図柄始動ゲート１１が設けられ、左側にも普通図柄始動ゲート１２が設けられている。
【００１７】
また、特別図柄表示装置８の下側には、始動入賞口１５が設けられており、その始動入賞口１５の下方には、大入賞口１６が設けられている。さらに、大入賞口１６の下方には、普通図柄の当たりに連動して解放される始動入賞口１７が設けられている。また、始動入賞口１７の下方には、何れの入賞口にも入賞しなかった遊技球（以下、「アウト球」という。）を回収するためのアウト口１８が設けられている。
【００１８】
また、普通図柄始動ゲート１１の下方には、普通入賞口１９が設けられ、普通図柄始動ゲート１２の下方には、普通入賞口２０が設けられている。さらに、特別図柄表示装置８の下部には遊技盤２の表面から遊技盤２の奥方向に向かって遊技球を暫時載置可能にステージ２１が設けられ、特別図柄表示装置８の上部にはワープ口２２，２３ａ，２３ｂが設けられている。これらのワープ口２２，２３ａ，２３ｂを通過した遊技球は特別図柄表示装置８の内部（ワープゾーン）を通ってステージ２１上に現出するようになっており、ステージ２１に現出した遊技球は、ステージ２１の直下に設けられている始動入賞口１５に向かって落下するようになっている。尚、遊技盤２には、上記以外に、種々の電飾ランプ、その他のＬＥＤ、風車および多数の障害釘等が設けられている。
【００１９】
次に、図２及び図３を参照して、特別図柄表示装置８の構造及びここに表示される画面について説明する。図２は特別図柄表示装置８の正面図であり、図３は特別図柄表示装置８の表面に設けられている半円柱表示画面２８の斜視図である。尚、半円柱表示画面２８は、円柱側面の一部を構成する面で形成された図柄表示部の一例である。また、本実施の形態では、特別図柄表示装置８の半円柱表示画面２８の円柱側面に表示される図柄の変動表示の一例として、図柄が円周方向の上から下又は下から上にスクロールされて表示される図柄の変動表示を例に説明する。
【００２０】
図３に示すように、半円柱表示画面２８は、半円柱形状の樹脂部材２８ａの半円柱側面に、エレクトロルミネッセンスディスプレイを曲げて接着したものであり、半円柱の軸方向（長手方向）を水平にして特別図柄表示装置８の表面に配置されている。この エレクトロルミネッセンスディスプレイは、周知のように、電圧をかけると発光する物質を利用したディスプレイであり、硫化亜鉛などの無機物を使う無機エレクトロルミネッセンスディスプレイ（無機ＥＬディスプレイ）と、ジアミン類などの有機物を使う有機エレクトロルミネッセンスディスプレイ（有機ＥＬディスプレイ）の２種類がある。これらは、低電力で高い輝度が得ることができ、視認性、応答速度、寿命、消費電力の点で優れており、液晶ディスプレイのように薄型にすることができるものである。また、半円柱側面や円柱側面に沿って曲げることも可能である。
【００２１】
尚、図２及び図３に示すように、特別図柄表示装置８の半円柱表示画面２８には、左から特別図柄表示部Ｌ１、特別図柄表示部Ｌ３及び特別図柄表示部Ｌ２の順で３つの特別図柄表示部が横一列に配置されている。この特別図柄表示部Ｌ１〜Ｌ３には、後述する図柄が半円柱側面の円周方向に沿って上から下方向にスクロールするように変動表示され、また、半円柱表示画面２８上には、特別図柄表示部Ｌ１〜Ｌ３の背景図柄やキャラクターやメッセージ等も表示されるようになっている。
【００２２】
特別図柄表示部Ｌ１〜Ｌ３に表示される図柄は、通常時は、円柱側面の円周方向に沿って、それぞれ縦スクロール（上から下へのスクロール）がなされて、特別図柄表示部Ｌ１、特別図柄表示部Ｌ２、特別図柄表示部Ｌ３の順、即ち、左図柄、右図柄、中図柄の順で停止するようになっている。尚、この特別図柄表示部Ｌ１〜Ｌ３の配置及び停止表示させる順序などは任意に変更できる。また、半円柱表示画面２８は、上記の特別図柄表示部Ｌ１〜Ｌ３に特別図柄が常に表示されているわけではなく、これらの表示に代えて動画やメッセージ等も表示できるようになっている。尚、特別図柄表示装置８は、裏面に後述する図５に示す図柄表示基板４４を備えている。
【００２３】
また、上記の特別図柄表示部Ｌ１〜Ｌ３に各々表示される図柄としては、本実施の形態の例では数字の図柄パターンの一例としては「０」、「１」、「２」、「３」、「４」、「５」、「６」、「７」、「８」、「９」の１０種類があり、始動入賞口１５又は始動入賞口１７に遊技球が入賞して大当たりの判定が行われると、これら１０種類の図柄が原則としてこの順序で順次表示される。大当たりである場合には、横１列に表示された３つの特別図柄が同じ数字や文字の図柄で揃った状態（例えば、「７」、「７」、「７」のように３つ揃った場合）で大当たり図柄が構成されて表示され、遊技者に大当たりが報知される。そして、大入賞口１６が開放される特別遊技状態が生起され、大入賞口１６内に設けられているＶゾーン（図示外）に遊技球が入賞すると、大入賞口１６の開放が再度行われ、所定回数（例えば、１５回や１６回等）まで繰り返されるようになっている。また、他の図柄パターンとして、漢数字、将棋に書かれた数字、麻雀牌に書かれた数字等を用いても良い。
【００２４】
また、前記１０図柄の内、「１」、「３」、「５」、「７」、「９」を確率変動図柄（以下、「特定図柄」という。）とし、これらの内の何れかの図柄が横１列に同じ図柄で揃った場合には、確率変動突入とし、有利状態（特定遊技状態）として次の大当たりを引く確率を高くするように変更する。大当たりの確率は、一例としては、通常状態（低確率状態）では、３１５分の１であり、確率変動状態（高確率状態又は有利状態）では、６３分の１であるが、必ずしもこの値に限られるものではない。尚、「０」、「２」、「４」、「６」、「８」、は非確率変動図柄（以下、「非特定図柄」という。）であり、その後に大当たりを引く確率は通常状態となる。
【００２５】
次に、本実施の形態のパチンコ機１の電気的構成について図４を参照して説明する。図４はパチンコ機１の電気的回路構成を示すブロック図である。パチンコ機１の制御部４０はパチンコ機１の裏側に設けられ、この制御部４０は、主基板４１、電源基板４２、音基板４３、図柄表示基板４４、払出制御基板４５、電飾基板４６、中継基板４７から構成され、主基板４１には、プログラムに従って各種の処理を行うＣＰＵユニット５０が設けられている。このＣＰＵユニット５０には、各種の演算処理を行うＣＰＵ５１、フラグや乱数値やデータ等を記憶するＲＡＭ５２と、制御プログラム及び各種の初期値のデータや特別図柄表示装置８への表示内容を指示するコマンドのデータ等を記憶したＲＯＭ５３とが設けられており、これらは一つのＬＳＩとして一体にモールディングされている。
【００２６】
また、ＣＰＵユニット５０には、割込リセット回路５７が接続され、割込リセット回路５７は、０．００２秒（以下、「２ｍｓ」と略す。）毎に、割込信号をＣＰＵ５１に与えるようになっており、ＣＰＵ５１は、ＲＯＭ５３に記憶された制御プログラムに従って、パチンコ機１の制御を行う。尚、ＣＰＵ５１の一例としては、８ビット、１６ビット、３２ビット、６４ビット等のＣＰＵが使用されている。
【００２７】
また、主基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、図示外の遊技場管理用コンピュータにパチンコ機１の情報を出力する出力ポート５５と、大当たり判定用に用いられる乱数等を発生するハード乱数回路８０とが接続されている。ハード乱数回路８０は、フリップフロップ回路により構成され、数ナノ秒ごとに更新される乱数を発生するようになっている。ハード乱数回路８０による乱数発生の詳細は、周知であり、例えば特許第２７５０８０８号公報に記載されているので、ここでは、説明は省略する。
【００２８】
ここで、図５を参照して、図柄表示基板４４の電気的構成について説明する。図５は、図柄表示基板４４の電気的構成を示すブロック図である。図５に示すように、図柄表示基板４４には、主基板４１（図４参照）からのコマンドを受信する入力インターフェース４４ｂが設けられており、入力インターフェース４４ｂには、図柄表示基板４４の制御を司るＣＰＵ４４ａが接続され、ＣＰＵ４４ａには、受信したコマンドデータ等を記憶するＲＡＭ４４ｃと、特別図柄表示装置８の半円柱表示画面２８に、変動表示される図柄の図柄パターン、表示される背景図柄及びキャラクターのデータ等を記憶したＲＯＭ４４ｄと、特別図柄表示装置８の半円柱表示画面２８のエレクトロルミネッセンスディスプレイを駆動するＥＬ駆動回路４４ｅと、後述する方向転換モータ９０を駆動する方向転換モータ駆動回路４４ｆとが接続されている。図柄表示基板４４では、主基板４１から受信した図柄変動に関するベース変動コマンド、変動パターンコマンド、停止図柄コマンド、図柄切り替えコマンド等に基づいて、ＣＰＵ４４ａがＥＬ駆動回路４４ｅを制御して、半円柱表示画面２８のエレクトロルミネッセンスディスプレイに表示される図柄の変動を制御する。
【００２９】
また、音基板４３、払出制御基板４５、及び電飾基板４６にも、ＣＰＵ（図示外）、ＲＡＭ（図示外）、ＲＯＭ（図示外）、入力インターフェース（図示外）等が各々搭載されている。尚、図４に示す主基板４１はパチンコ機１の主制御を司り、電源基板４２は各基板に直流電流を供給し、音基板４３はパチンコ機１の効果音の発生を制御し、払出制御基板４５は賞品球払出装置４９の制御を行い、電飾基板４６はパチンコ１の各電飾の発光態様を制御し、中継基板４７は、各センサーの配線の中継を行っている。
【００３０】
尚、電飾基板４６には、図４に示すように、４個のＬＥＤから構成された普通図柄記憶数表示ＬＥＤ５９、４個のＬＥＤから構成された特別図柄記憶数表示ＬＥＤ６０、その他のＬＥＤ６２及び電飾ランプ６３が接続され、また、図柄表示基板４４には半円柱表示画面２８及び方向転換モータ９０が接続され、また、音基板４３には、スピーカー４８が接続され、また、払出制御基板４５には、賞品球払出装置４９が接続されている。さらに、中継基板４７には、普通図柄表示装置２４、大入賞口開放ソレノイド７０、特別図柄始動電動役物開放ソレノイド７１、始動入賞口１５及び始動入賞口１７に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１９，２０に入賞して図示外の案内通路により入賞球集合部に集められた入賞球を検出する入賞口スイッチ７６、アウト口１８に入ったアウト球数をカウントするアウト球カウントスイッチ７７が接続されている。
【００３１】
また、電源基板４２は、図４に示すように、主基板４１、音基板４３、図柄表示基板４４、払出制御基板４５、電飾基板４６に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図４では、特に図示しないが、主基板４１、電源基板４２、音基板４３、図柄表示基板４４、払出制御基板４５、電飾基板４６、中継基板４７は、全て、アースラインで接続されている。
【００３２】
以上説明したように、上記の実施の形態では、特別図柄表示装置８の半円柱表示画面２８は、半円柱形状の樹脂部材２８ａの半円柱側面に、有機エレクトロルミネッセンスディスプレイ又は無機エレクトロルミネッセンスディスプレイを曲げて接着したものであるので、有機エレクトロルミネッセンスディスプレイ又は無機エレクトロルミネッセンスディスプレイの視野角の広さを利用して、擬似的なドラム表示を可能とすることができる。従って、回転する円筒ドラムを設けなくても半円柱表示画面２８を用いて、円筒ドラムが回転するように見える特別図柄表示装置８が実現でき、円筒ドラムの設置のスペースを確保する必要がない。
【００３３】
次に、本発明の第２の実施の形態を図６及び図７を用いて説明する。図６は、第２の実施の形態のパチンコ機１の特別図柄表示装置８を示す正面図であり、図７は、特別図柄表示装置８の半円柱表示画面２８を示す斜視図である。
【００３４】
図６及び図７に示すように、第２の実施の形態では、特別図柄表示装置８の半円柱表示画面２８は、半円柱形状の樹脂部材２８ａの半円柱側面に、有機エレクトロルミネッセンスディスプレイ又は無機有機エレクトロルミネッセンスディスプレイを曲げて接着したものであり、半円柱の軸方向（長手方向）を垂直方向（重力方向）に向けて配置されている。また、半円柱表示画面２８には、上段から下段に向けて、特別図柄表示部Ｌ１、特別図柄表示部Ｌ３及び特別図柄表示部Ｌ２の順で３つの特別図柄表示部が縦一列に配置されている。この特別図柄表示部Ｌ１〜Ｌ３には、数字や図柄が円柱側面の円周方向に沿って左右方向にスクロールするように変動表示され、また、半円柱表示画面２８上には、特別図柄表示部Ｌ１〜Ｌ３の背景図柄やキャラクターやメッセージ等も表示されるようになっている。
【００３５】
特別図柄表示部Ｌ１〜Ｌ３に表示される図柄は、通常時は、半円柱側面の円周方向に沿って、それぞれ横スクロール（左から右へのスクロール）がなされて、特別図柄表示部Ｌ１、特別図柄表示部Ｌ２、特別図柄表示部Ｌ３の順、即ち、上図柄、下図柄、中図柄の順で停止するようになっている。尚、この特別図柄表示部Ｌ１〜Ｌ３の配置及び停止表示させる順序などは任意に変更できる。また、半円柱表示画面２８は、上記の特別図柄表示部Ｌ１〜Ｌ３に特別図柄が常に表示されているわけではなく、これらの表示に代えて動画やメッセージ等も表示できるようになっている。
【００３６】
以上説明したように、第２の実施の形態では、横方向に回転する円筒ドラムを設けなくても半円柱表示画面２８を用いて、円筒ドラムが横方向に回転するように見える特別図柄表示装置８が実現でき、円筒ドラムの設置のスペースを確保する必要がない。
【００３７】
次に、第３の実施の形態について、図２乃至図９を参照して説明する。図８及び図９は、第３の実施の形態の特別図柄表示装置８に用いられる半円柱表示画面２８及び方向転換モータ９０の構造を示す斜視図である。尚、半円柱表示画面２８は、上記第１及び第２の実施の形態と同様に半円柱形状の樹脂部材２８ａの半円柱側面に、有機エレクトロルミネッセンスディスプレイ又は無機有機エレクトロルミネッセンスディスプレイを曲げて接着したものである。
【００３８】
更に、第３の実施の形態では、図８及び図９に示すように、半円柱表示画面２８の裏側にパルスモータから構成された方向転換モータ９０を設けて、この方向転換モータ９０の駆動軸９０ａを半円柱表示画面２８の裏面に固定して、半円柱表示画面２８を特別図柄表示装置８に対しての水平面で回転できるようになっている。即ち、半円柱表示画面２８を遊技盤２の表面に垂直な軸を中心として回転させることができる。尚、方向転換モータ９０は、パチンコ機１の図示外のフレームに固定されている。また、方向転換モータ９０は、図柄表示基板４４に設けられている方向転換モータ駆動回路４４ｆの制御により、半円柱表示画面２８を図２及び図８に示す水平方向と図６及び図９に示す垂直方向との間で９０度回転できるようになっている。この回転は、パチンコ機１での遊技状態に応じて図柄表示基板４４の制御により、方向転換モータ駆動回路４４ｆを介して方向転換モータ９０により行われるようになっている。
【００３９】
尚、半円柱表示画面２８を回転させた場合には、図柄の向きや変動方向を図柄表示基板４４の制御により調整する。
【００４０】
以上説明したように、第３の実施では、半円柱表示画面２８を用いているので、ドラムの設置のスペースを確保する必要がない。更に、遊技状態に応じて、半円柱表示画面２８を水平方向と垂直方向との間で回転することができるので、ドラムの向きを変えることができ、特別図柄表示装置８の表示に変化を持たせることができ、遊技者の遊技意欲を高めることができる。
【００４１】
尚、本発明は、パチンコ機に限られず、図柄表示部を備えた各種の遊技機、例えば、スロットマシン、パチスロ機及びパチロット機にも適用できる。また、本発明の構成である円柱側面の一部を構成する側面で形成された図柄表示部は、上記の実施の形態のように、半円柱状のもの側面に限られず、図１０に示す変形例のように、円柱側面の一部を構成する面で形成されたものにしても良い。即ち蒲鉾形状の上面（側面）のような形状にしても良い。
【００４２】
【発明の効果】
以上説明したように、請求項１に係る発明の遊技機では、図柄表示装置に備えられた円柱側面の一部を構成する面で形成された表示画面からなる図柄表示部を用いて、円周方向図柄表示制御手段が円周方向に図柄を変動表示させることができる。また、回転手段が図柄表示部を遊技盤の表面に垂直な軸を中心として、前記円柱側面の一部を構成する面で形成された表示画面の軸芯方向を水平方向と垂直方向との間で回転させ、当該回転手段により、前記図柄表示部を回転させた場合には、図柄表示調整手段が図柄の向きや変動方向を調整することができる。従って、円筒ドラムを設けずに擬似的に円筒ドラムが回転しているのと同様の表示を行うことができ、スペースも余計にいらない。更に、遊技状態に応じて、表示画面を水平方向と垂直方向との間で回転することができるので、円筒ドラムの向きを変えることができ、特別図柄表示装置の表示に変化を持たせることができ、遊技者の遊技意欲を高めることができる。
【００４３】
【００４４】
また、請求項２に係る発明の遊技機は、請求項１に記載の発明の効果に加え、エレクトロルミネッセンスディスプレイから構成された図柄表示部に、円周方向図柄表示制御手段が円周方向に図柄を変動表示させることができる。従って、視野角が広いエレクトロルミネッセンスディスプレイを用いているので、円筒ドラムを回転させているように見せることが可能となる。
【００４５】
また、請求項３に係る発明の遊技機は、請求項２に記載の発明の効果に加えて、有機エレクトロルミネッセンスディスプレイ又は無機エレクトロルミネッセンスディスプレイから構成された図柄表示部に、円周方向図柄表示制御手段が円周方向に図柄を変動表示させることができる。
【図面の簡単な説明】
【図１】  図１はパチンコ機１の斜視図である。
【図２】  図２は特別図柄表示装置８の正面図である。
【図３】  図３は半円柱表示画面２８の斜視図である。
【図４】  図４はパチンコ機１の電気的回路構成を示すブロック図である。
【図５】  図５は図柄表示基板４４のブロック図である。
【図６】  図６は第２の実施の形態のパチンコ機１の特別図柄表示装置８を示す正面図である。
【図７】  図７は第２の実施の形態の特別図柄表示装置８の半円柱表示画面２８を示す斜視図である。
【図８】  図８は第３の実施の形態の特別図柄表示装置８に用いられる半円柱表示画面２８及び方向転換モータ９０の構造を示す斜視図である。
【図９】  図９は第３の実施の特別図柄表示装置８に用いられる半円柱表示画面２８及び方向転換モータ９０の構造を示す斜視図である。
【図１０】  図１０は半円柱表示画面の変形例を示す図である。
【符号の説明】
１      パチンコ機
４      遊技領域
８      特別図柄表示装置
２８      半円柱表示画面
２８ａ    半円柱形状の樹脂部材
Ｌ１      特別図柄表示部
Ｌ２      特別図柄表示部
Ｌ３      特別図柄表示部
１５      始動入賞口
４１      主基板
４２      電源基板
４３      音基板
４４      図柄表示基板
４４ａ    ＣＰＵ
４４ｂ    入力インターフェース
４４ｃ    ＲＡＭ
４４ｄ    ＲＯＭ
４４ｅ    ＥＬ駆動回路
４４ｆ    方向転換モータ駆動回路
４５      払出制御基板
７８      切替条件設定装置
８０      ハード乱数回路
９０      方向転換モータ
【図１】
0003853232.tif 000002
【図２】
0003853232.tif 000003
【図３】
0003853232.tif 000004
【図４】
0003853232.tif 000005
【図５】
0003853232.tif 000006
【図６】
0003853232.tif 000007
【図７】
0003853232.tif 000008
【図８】
0003853232.tif 000009
【図９】
0003853232.tif 000010
【図１０】
0003853232.tif 000011